(57)【要約】【課題】メール素材を使用した電子メールを送信する場合に、メール素材の入手先に対してそのメール素材の送信を適切に制限できるようにする。【解決手段】中央制御部１は、無線通信部４から電子メールを送信する場合に使用されるメール素材を誰から入手したかを示す入手先とメール素材を対応付けてメール素材記憶部Ｍ３に記憶されている状態において、このメール素材記憶部Ｍ３に記憶されている入手先に基づいて、その入手先に対応付けられているメール素材を用いた電子メールの送信を制限する。【選択図】  図１
2012003330.tif 000002
【特許請求の範囲】
【請求項１】
電子メールを送信する通信端末装置であって、
電子メールを送信する場合に使用されるメール素材を誰から入手したかを示す入手先と前記メール素材を対応付けて記憶するメール素材記憶手段と、
前記メール素材記憶手段に記憶されている入手先に基づいて、その入手先に対応付けられている前記メール素材を用いた電子メールの送信を制限する制限手段と、
を備えることを特徴とする通信端末装置。
【請求項２】
前記制限手段は、前記記憶手段に記憶されている入手先が作成中である電子メールの送信先に含まれているか否かに基づいて、その入手先に対応付けられているメール素材を用いた電子メールの送信を制限する、
ようにしたことを特徴とする請求項１記載の通信端末装置。
【請求項３】
前記制限手段は、前記記憶手段に記憶されている入手先が作成中である電子メールの送信先に含まれている場合に、その入手先に対応付けられている前記メール素材を用いた電子メールの送信を制限する、
ようにしたことを特徴とする請求項２記載の通信端末装置。
【請求項４】
前記制限手段は、前記記憶手段に記憶されている前記入手先に基づいて、その入手先に対応付けられている前記メール素材を用いた電子メールの送信を中止することによりその送信を制限する、
ようにしたことを特徴とする請求項１記載の通信端末装置。
【請求項５】
前記制限手段は、前記記憶手段に記憶されている入手先に基づいて、その入手先に対応付けられている前記メール素材を変更することにより変更前のメール素材を用いた電子メールの送信を制限する、
ようにしたことを特徴とする請求項１記載の通信端末装置。
【請求項６】
前記制限手段は、前記記憶手段に記憶されている入手先に基づいて、その入手先に対応付けられている前記メール素材を削除することによりそのメール素材を用いた電子メールの送信を制限する、
ようにしたことを特徴とする請求項１記載の通信端末装置。
【請求項７】
前記制限手段は、電子メールの作成時に前記メール素材をユーザ操作により選択させる場合に、前記入手先に基づいて、前記メール素材の選択を支援することによりメール素材を使用した電子メールの送信を制限する、
ようにしたことを特徴とする請求項１記載の通信端末装置。
【請求項８】
前記記憶手段に記憶されている入手先に基づいて、前記メール素材の選択させる際の選択表示画面を変更する表示制御手段をさらに備え、
前記制限手段は、前記表示制御手段によって選択表示画面を変更させることによりメール素材を用いた電子メールの送信を制限する、
ようにしたことを特徴とする請求項７記載の通信端末装置。
【請求項９】
前記メール素材に関係付けられた入手先を通知する通知手段をさらに備え、
前記制限手段は、前記メール素材を使用した電子メールの作成後に、その電子メールの送信先が決定された段階で、前記通知手段による通知が行われることによりメール素材を使用した電子メールの送信を制限する、
ようにしたことを特徴とする請求項１記載の通信端末装置。
【請求項１０】
前記通知手段は、前記入手先に基づいて、前記メール素材の変更又は削除を促す通知を更に行うことによりメール素材を使用した電子メールの送信を制限する、
ようにしたことを特徴とする請求項１記載の通信端末装置。
【請求項１１】
電子メールの送信先に関する情報として、送信先の通信アドレスと共に送信先の属性を記憶するアドレス記憶手段と、
電子メールを送信した場合に、その送信先に対応して前記アドレス記憶手段に記憶されている属性に基づいて、その電子メールの転送又は閲覧の可能性を判別する判別手段と、
をさらに備え、
前記制限手段は、前記判別手段により判別された電子メールの転送又は閲覧の可能性に基づいて、前記メール素材を使用した電子メールの送信を制限する、
ようにしたことを特徴とする請求項１記載の通信端末装置。
【請求項１２】
前記メール素材を入手した際に、前記メール素材を次回以降使えるように登録する登録手段を更に備え、
前記登録手段によるメール素材の登録時に、前記記憶手段は、前記メール素材を誰から入手したかを示す入手先と前記メール素材を対応付けて記憶する、
ようにしたことを特徴とする請求項１記載の通信端末装置。
【請求項１３】
前記制限手段による制限の対象外となるメール素材を指定する指定手段をさらに備え、
前記制限手段は、前記指定手段により制限対象外として指定されたメール素材にいては、そのメール素材を使用した電子メールの送信の制限を解除する、
ようにしたことを特徴とする請求項１記載の通信端末装置。
【請求項１４】
前記制限手段は、電子メールの送信先として、本来の送信先かそれ以外の同報先かを区別してメール素材を用いた電子メールの送信を制限する、
ようにしたことを特徴とする請求項１記載の通信端末装置。
【請求項１５】
前記制限手段による制限の仕方をユーザ操作により任意に設定する設定手段をさらに備え、
前記制限手段は、前記設定手段により設定された制限の仕方に基づいた制限を行う、
ようにしたことを特徴とする請求項１記載の通信端末装置。
【請求項１６】
前記メール素材は、少なくとも絵文字、フォーマット、静止画、動画、音声ファイルのいずれかである、
ことを特徴とする請求項１記載の通信端末装置。
【請求項１７】
コンピュータに対して、
電子メールを送信する機能と、
電子メールを送信する場合に使用されるメール素材を誰から入手したかを示す入手先と前記メール素材を対応付けて記憶管理する機能と、
前記記憶されている入手先に基づいて、その入手先に対応付けられている前記メール素材を用いた電子メールの送信を制限する機能と、
を実現させるためのプログラム。
【発明の詳細な説明】
【技術分野】
【０００１】
本発明は、電子メールを送信する通信端末装置及びプログラムに関する。
【背景技術】
【０００２】
近年、イラスト風の記号文字、装飾文字、括弧などの記号を組み合わせることにより多彩な表情や感情を表現したり、装飾したりする顔文字などのメール素材を簡単に入力可能な携帯電話機やパーソナルコンピュータなどの文字入力装置が製品化されている。そして、従来では、絵文字を入力する際における操作者の負担を軽減するための絵文字入力支援装置として、コンテキスト情報（日時、季節、天気、気温、場所、入力中文章など）と、各絵文字の特性を示す情報とに基づいて、入力候補として表示する各絵文字の表示順位を決定するようにした技術が知られている（特許文献１参照）。
【先行技術文献】
【特許文献】
【０００３】
【特許文献１】特開特開２００９−１５７６６０号公報
【発明の概要】
【発明が解決しようとする課題】
【０００４】
しかしながら、上述した先行技術にあっては、絵文字を入力する際の操作者の負担を軽減することが可能であるとしても、電子メールを送信する通信相手が普段使用しているメール素材を使用してその相手に送信しまうことがあった。すなわち、携帯電話機などには、予め固定的に用意された絵文字が記憶されているほか、通信相手から受信した電子メールに含まれている絵文字が記憶されているが、絵文字の入手先が通信相手の場合に、その相手が送信してきた同じ絵文字を使用した電子メールを同じ相手に送信してしまうことがあり、せっかく絵文字を使用した電子メールを作成したとしも、その受け手にとっては、見慣れた絵文字を見ることになり、新鮮みに欠け、インパクトの少ないものとなる。
【０００５】
本発明の課題は、メール素材を使用した電子メールを送信する場合に、メール素材の入手先に対してそのメール素材の送信を適切に制限できるようにすることである。
【課題を解決するための手段】
【０００６】
上述した課題を解決するために請求項１記載の発明は、
電子メールを送信する通信端末装置であって、
電子メールを送信する場合に使用されるメール素材を誰から入手したかを示す入手先と前記メール素材を対応付けて記憶するメール素材記憶手段と、
前記メール素材記憶手段に記憶されている入手先に基づいて、その入手先に対応付けられている前記メール素材を用いた電子メールの送信を制限する制限手段と、
を備えることを特徴とする。
【０００７】
請求項１に従属する発明として、
前記制限手段は、前記記憶手段に記憶されている入手先が作成中である電子メールの送信先に含まれているか否かに基づいて、その入手先に対応付けられているメール素材を用いた電子メールの送信を制限する、
ようにしたことを特徴とする、請求項２記載の発明であってもよい。
【０００８】
請求項２に従属する発明として、
前記制限手段は、前記記憶手段に記憶されている入手先が作成中である電子メールの送信先に含まれている場合に、その入手先に対応付けられている前記メール素材を用いた電子メールの送信を制限する、
ようにしたことを特徴とする、請求項３記載の発明であってもよい。
【０００９】
請求項１に従属する発明として、
前記制限手段は、前記記憶手段に記憶されている前記入手先に基づいて、その入手先に対応付けられている前記メール素材を用いた電子メールの送信を中止することによりその送信を制限する、
ようにしたことを特徴とする、請求項４記載の発明であってもよい。
【００１０】
請求項１に従属する発明として、
前記制限手段は、前記記憶手段に記憶されている入手先に基づいて、その入手先に対応付けられている前記メール素材を変更することにより変更前のメール素材を用いた電子メールの送信を制限する、
ようにしたことを特徴とする、請求項５記載の発明であってもよい。
【００１１】
請求項  に従属する発明として、
前記制限手段は、前記記憶手段に記憶されている入手先に基づいて、その入手先に対応付けられている前記メール素材を削除することによりそのメール素材を用いた電子メールの送信を制限する、
ようにしたことを特徴とする、請求項６記載の発明であってもよい。
【００１２】
請求項１に従属する発明として、
前記制限手段は、電子メールの作成時に前記メール素材をユーザ操作により選択させる場合に、前記入手先に基づいて、前記メール素材の選択を支援することによりメール素材を使用した電子メールの送信を制限する、
ようにしたことを特徴とする、請求項７記載の発明であってもよい。
【００１３】
請求項７に従属する発明として、
前記記憶手段に記憶されている入手先に基づいて、前記メール素材の選択させる際の選択表示画面を変更する表示制御手段をさらに備え、
前記制限手段は、前記表示制御手段によって選択表示画面を変更させることによりメール素材を用いた電子メールの送信を制限する、
ようにしたことを特徴とする、請求項８記載の発明であってもよい。
【００１４】
請求項１に従属する発明として、
前記メール素材に関係付けられた入手先を通知する通知手段をさらに備え、
前記制限手段は、前記メール素材を使用した電子メールの作成後に、その電子メールの送信先が決定された段階で、前記通知手段による通知が行われることによりメール素材を使用した電子メールの送信を制限する、
ようにしたことを特徴とする、請求項記載の発明であってもよい。
【００１５】
請求項１に従属する発明として、
前記通知手段は、前記入手先に基づいて、前記メール素材の変更又は削除を促す通知を更に行うことによりメール素材を使用した電子メールの送信を制限する、
ようにしたことを特徴とする、請求項１０記載の発明であってもよい。
【００１６】
請求項１に従属する発明として、
電子メールの送信先に関する情報として、送信先の通信アドレスと共に送信先の属性を記憶するアドレス記憶手段と、
電子メールを送信した場合に、その送信先に対応して前記アドレス記憶手段に記憶されている属性に基づいて、その電子メールの転送又は閲覧の可能性を判別する判別手段と、
をさらに備え、
前記制限手段は、前記判別手段により判別された電子メールの転送又は閲覧の可能性に基づいて、前記メール素材を使用した電子メールの送信を制限する、
ようにしたことを特徴とする、請求項１１記載の発明であってもよい。
【００１７】
請求項１に従属する発明として、                                                                                                   
前記メール素材を入手した際に、前記メール素材を次回以降使えるように登録する登録手段を更に備え、
前記登録手段によるメール素材の登録時に、前記記憶手段は、前記メール素材を誰から入手したかを示す入手先と前記メール素材を対応付けて記憶する、
ようにしたことを特徴とする、請求項１２記載の発明であってもよい。
【００１８】
請求項１に従属する発明として、
前記制限手段による制限の対象外となるメール素材を指定する指定手段をさらに備え、
前記制限手段は、前記指定手段により制限対象外として指定されたメール素材にいては、そのメール素材を使用した電子メールの送信の制限を解除する、
ようにしたことを特徴とする、請求項１３記載の発明であってもよい。
【００１９】
請求項１に従属する発明として、
前記制限手段は、電子メールの送信先として、本来の送信先かそれ以外の同報先かを区別してメール素材を用いた電子メールの送信を制限する、
ようにしたことを特徴とする、請求項１４記載の発明であってもよい。
【００２０】
請求項１に従属する発明として、
前記制限手段による制限の仕方をユーザ操作により任意に設定する設定手段をさらに備え、
前記制限手段は、前記設定手段により設定された制限の仕方に基づいた制限を行う、
ようにしたことを特徴とする、請求項１５記載の発明であってもよい。
【００２１】
請求項１に従属する発明として、
前記メール素材は、少なくとも絵文字、フォーマット、静止画、動画、音声ファイルのいずれかである、
ことを特徴とする、請求項１６記載の発明であってもよい。
【００２２】
また、上述した課題を解決するために請求項１７記載の発明は、
コンピュータに対して、
電子メールを送信する機能と、
電子メールを送信する場合に使用されるメール素材を誰から入手したかを示す入手先と前記メール素材を対応付けて記憶管理する機能と、
前記記憶されている入手先に基づいて、その入手先に対応付けられている前記メール素材を用いた電子メールの送信を制限する機能と、
を実現させるためのプログラム、であることを特徴とする。
【発明の効果】
【００２３】
本発明によれば、メール素材を使用した電子メールを送信する場合に、メール素材の入手先に対してそのメール素材の送信を適切に制限することができ、新鮮なメール素材を通信相手に対して提供することが可能となる。
【図面の簡単な説明】
【００２４】
【図１】通信端末装置として適用した携帯電話機の基本的な構成要素を示したブロック図。
【図２】メール素材記憶部Ｍ３を説明するための図。
【図３】各種のメール素材（絵文字）の具体例を示した図。
【図４】アドレス帳記憶部Ｍ４を説明するための図。
【図５】ユーザ設定記憶部Ｍ５説明するための図。
【図６】電子メール受信時におけるメール素材の登録処理を示したフローチャート。
【図７】電子メールの新規作成、返信、転送のいずれかが指示された際に実行開始される電子メールの作成・送信処理を示したフローチャート。
【図８】図７に続く電子メールの作成・送信処理を示したフローチャート。
【図９】メール素材選択支援画面Ａを表示させる表示処理（図７のステップＢ５）を詳述するためのフローチャート。
【図１０】メール素材選択支援画面Ｂを表示させる表示処理（図７のステップＢ６）を詳述するためのフローチャート。
【図１１】通知処理（図８のステップＢ１４）を詳述するためのフローチャート。
【図１２】表示部（タッチ画面）８に表示された選択支援画面Ａを含むメール作成画面を示した図。
【図１３】表示部（タッチ画面）８に表示された選択支援画面Ｂを含むメール作成画面を示した図。
【図１４】メール作成画面内において入手先情報をユーザに通知している状態を示した図。
【発明を実施するための形態】
【００２５】
以下、図１〜図１４を参照して本発明の実施形態を説明する。
この実施形態は、通信端末装置として携帯電話機に適用した場合を例示したもので、図１は、この携帯電話機の基本的な構成要素を示したブロック図である。
携帯電話機は、通話機能、電子メール機能、インターネット接続機能（Ｗｅｂアクセス機能）、放送受信機能などが備え、図示しない最寄りの基地局を介して無線通信網（移動体通信網）に接続されると、他の携帯電話機（図示省略）との間で通話可能な状態となる。また、携帯電話機は、無線通信網を介してインターネットに接続されると、Ｗｅｂサイトをアクセスして閲覧可能となる。また、テレビ局（図示省略）から発信された地上波デジタル放送を受信可能となるが、インターネットラジオのように無線通信網、インターネットを介してデジタル放送をダウンロード受信することもできる。
【００２６】
中央制御部１は、二次電池を備えた電源部２からの電力供給によって動作し、記憶部３内の各種のプログラムに応じてこの携帯電話機の全体動作を制御する中央演算処理装置やメモリ（図示省略）などを有している。この記憶部３には、図６〜図１１に示した動作手順に応じて本実施形態を実現するためのプログラムや各種のアプリケーションなどが格納されているＲＯＭ領域（フラッシュ領域）Ｍ１と、携帯電話機が動作するために必要な各種の情報（フラグ情報、画面情報など）を一時的に記憶する一時記憶領域（バッファ）Ｍ２のほか、後述するメール素材記憶部Ｍ３、アドレス帳記憶部Ｍ４、ユーザ設定記憶部Ｍ５などが設けられている。なお、記憶部３は、例えば、ＳＤカード、ＩＣカードなど、着脱自在な可搬型メモリ（記録メディア）を含む構成であってもよく、図示しない所定の外部サーバ上にあってもよい。
【００２７】
無線通信部４は、無線部、ベースバンド部、多重分離部などを備え、例えば、通話機能、電子メール機能、インターネット接続機能などの動作時に、最寄りの基地局との間でデータの送受信を行うもので、通話機能の動作時にはベースバンド部の受信側から信号を取り込んで受信ベースバンド信号に復調して中央制御部１に対して出力すると、中央制御部１は、音声信号処理部５を介して通話用スピーカＳＰから音声出力させ、また、通話用マイクＭＣからの入力音声データを音声信号処理部５から取り込み、送信ベースバンド信号に符号化した後、ベースバンド部の送信側に与えてアンテナＡＮ１から発信出力させる。
【００２８】
放送受信部６は、例えば、通信端末装置向けの地上波デジタルテレビ放送をアンテナＡＮ２から受信するもので、放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有している。撮像部７は、カメラ機能を構成する構成要素で、撮像素子（例えば、ＣＣＤあるいはＣＭＯＳ）を有し、静止画撮影のほかに動画撮影も可能となっている。そして、撮像部７は、撮影レンズ、測距センサ、光量センサ、アナログ処理回路、信号処理回路、圧縮伸張回路などを備え、光学ズームを調整制御したり、オートフォーカス時の駆動制御、シャッター駆動制御、露出、ホワイトバランスなどを制御したりする。
【００２９】
表示部８は、高精細液晶を使用し、例えば、文字情報、待受画像、テレビ映像などを表示させるもので、カメラ機能の使用時にはプレビュー画像（モニタ画像）を表示するファインダ画面となる。表示部８は、タッチスクリーン（タッチ画面）を構成するもので、表示部８の表面に対応する指の接触を検出する接触操作部（透明なタッチパネル）を積層配設することによってタッチ画面が構成されている。なお、タッチパネルは、静電容量方式でも抵抗膜方式でもよく、また、接触の他に操作器具や指の押し込み（押圧）を検出可能とする圧電方式であってもよい。操作部９は、ダイヤル入力、文字入力、コマンド入力などを入力する押しボタン式の各種キーを備えたもので、中央制御部１は、この操作部９からの入力操作信号に応じた処理を実行する。その他アプリ処理関係部１０は、通話機能、電子メール機能、インターネット接続機能などのアプリケーション処理に関する情報として電子メール情報、Ｗｅｂ情報などを記憶する。
【００３０】
図２は、メール素材記憶部Ｍ３を説明するための図である。
メール素材記憶部Ｍ３は、メール素材として各種の絵文字を記憶するもので、図１に示したように、予め固定的に組み込まれている絵文字群（デフォルト分の絵文字群）と、通信相手から受信した電子メールから抽出して登録した絵文字群（ユーザ追加分の絵文字群）を記憶可能となっている。そして、メール素材記憶部Ｍ３は、「素材ＩＤ」、「実データ」、「送信制限対象」、「入手先」、「代替え候補」、「備考」を有する構成となっている。
【００３１】
「素材ＩＤ」は、メール素材を識別する情報、また、「実データ」は、実際の絵文字データである。ここで、図３に示すように、メール素材として各種の絵文字（実データ）は、例えば、特集Ａ、Ｂ、Ｃ、Ｄ、…などのように分類別に記憶されている。「送信制限対象」は、メール素材の入手先に基づいて、そのメール素材を使用した電子メールの送信を制限するか否かを示す情報であり、ユーザ操作に応じて任意に指定された送信制限の可否に応じて“対象”、“対象外”が記憶される。つまり、「送信制限対象」の内容は、ユーザ操作により任意に設定されたもので、例えば、ユーザにあっては送信制限の“対象外”から“対象”に変更したり、“対象”から“対象外”に変更したりすることもできる。
【００３２】
「入手先」は、メール素材の入手先として、予め固定的に組み込まれているデフォルト分の絵文字か、受信した電子メールから抽出して登録したユーザ追加分の絵文字か（誰から入手した絵文字か）を示すもので、
“組み込み”は、製品製造時などで予め固定的に組み込まれていたデフォルト分の絵文字を示している。また、“Ａさん”、“Ｂさん”…は、通信相手から受信した電子メールに含まれている絵文字（ユーザ追加分の絵文字）を示している。なお、図示の例では、「素材ＩＤ」の“ｉ＋１”で示されるメール素材の入手先は、“Ａさん”及び“Ｂさん”であることを示している。
【００３３】
なお、受信した電子メールに含まれている絵文字（ユーザ追加分の絵文字）の「入手先」としては、その電子メールの送信元のメールアドレスでもよいが、その送信元（通信相手）の名前であってもよい。「代替え候補」は、この「素材ＩＤ」の代替え候補となる他の素材ＩＤを示すもので、ユーザ操作により任意に設定可能としてもよい。「備考」は、通信相手から受信した電子メールに含まれている絵文字を登録した場合に、その登録日時などが記憶される。中央制御部１は、メール素材記憶部Ｍ３の内容を読み出して表示部８に一覧表示させたり、この一覧画面からユーザ操作により任意に選択されたメール素材をメール本文などに貼り付けたりする処理を行う。
【００３４】
図４は、アドレス帳記憶部Ｍ４を説明するための図である。
アドレス帳記憶部Ｍ４は、通信相手に関する情報を記憶するもので、「ＩＤ」、「名前」、「電話番号（１）」、「電話番号（２）」、「メールアドレス」、「属性（備考）」の各項目を有する構成となっている。なお、アドレス帳記憶部Ｍ４の内容は、ユーザ操作により任意に設定されたものである。「ＩＤ」は、アドレス帳データを識別する一連番号である。「名前」は、通信相手を識別する情報である。「電話番号（１）」、「電話番号（２）」、「メールアドレス」は、通信識別情報である。「属性（備考）」は、ユーザとの間柄（例えば、サークル仲間、職場関係）などの属性や備考である。
【００３５】
図５は、ユーザ設定記憶部Ｍ５説明するための図である。
ユーザ設定記憶部Ｍ５は、ユーザ操作に応じて制御対象となる各種の動作を任意に設定するもので、「動作設定」、「有無フラグ」を有する構成となっている。「動作設定」は、制御対象の動作を示し、図示の例では、“送信中止設定”、“制限対象変更設定”、“制限対象削除設定”、“変更／削除推奨設定”、“転送閲覧可能性判別設定”、“追加登録設定”、“メール素材選択支援画面Ａ表示設定”を制御対象の動作として設定した場合を示している。「設定フラグ」は、制御対象とする否かのオン／オフ、つまり、設定の“有り／無し”を示している。
【００３６】
“送信中止設定”は、メール素材の使用した電子メールの送信を制限する一態様として、その送信自身を中止すべきことを示す設定内容である。“制限対象変更設定”は、メール素材の使用した電子メールの送信を制限する一態様として、そのメール素材の代替えとして他のメール素材を使用すべきことを示す設定内容である。“制限対象削除設定”は、メール素材の使用した電子メールの送信を制限する一態様として、そのメール素材を削除すべきことを示す設定内容である。“変更／削除推奨設定”は、メール素材の使用した電子メールの送信を制限する場合に、上述の変更／削除を推奨するメッセージを通知（表示）すべきことを示す設定内容である。
【００３７】
“転送閲覧可能性判別設定”は、メール素材の使用した電子メールの送信を制限しない場合でもその電子メールが転送又は閲覧される可能性を判別すべきことを示す設定内容である。なお、この場合の判別は、その送信先に対応するアドレス帳記憶部Ｍ５内の「属性」を参照することによりサークル仲間、職場関係などの間柄にある他の相手の有無に応じて行うようにしている。“追加登録設定”は、メール素材記憶部Ｍ３内にデフォルト分として記憶されているメール素材以外のメール素材を登録すべきことを示す設定内容である。“メール素材選択支援画面Ａ表示設定”は、電子メールで使用するメール素材を選択するための選択支援画面Ａ（図１２参照）及び選択支援画面Ｂ（図１３参照）の中から選択支援画面Ａを表示すべきことを示す設定内容である。なお、選択支援画面Ａ、選択支援画面Ｂの説明については、後述するものとする。
【００３８】
次に、本実施形態における携帯電話機の動作概念を図６〜図１１に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。なお、図６、図７及び図８は、携帯電話機の全体動作のうち、本実施形態の特徴部分の動作概要を示したフローチャートであり、この図６、図７及び図８のフローから抜けた際には、全体動作のメインフロー（図示省略）に戻る。
【００３９】
図６は、電子メール受信時におけるメール素材の登録処理を示したフローチャートである。
先ず、中央制御部１は、相手からの電子メールを受信すると（図６のステップＡ１）、その受信メールの内容を表示部８に表示させた後（ステップＡ２）、受信メールを解析することにより（ステップＡ３）、受信メール内にメール素材が含まれているかを調べる（ステップＡ４）。いま、メール素材が一つも含まれていなければ（ステップＡ４でＮＯ）、図６のフローから抜けるが、メール素材が含まれていれば（ステップＡ４でＹＥＳ）、受信メール内に含まれているメール素材の数（Ｍ個）を計数してその個数を通知した後（ステップＡ５）、登録処理の実行開始を指示する操作待ち状態となる（ステップＡ６）。
【００４０】
登録処理の実行開始を指示する操作が行われたときには（ステップＡ６でＹＥＳ）、受信メールに含まれているＭ個のメール素材をその先頭から順次指定するために素材レジスタｊ（図示省略）に初期値“１”をセットした後（ステップＡ７）、その素材レジスタｊで指定されるメール素材を受信メールから抽出して表示部８に表示させる（ステップＡ８）。ここで、素材レジスタｊで指定されるメール素材に対する登録を指示する操作が行われたかを調べ（ステップＡ９）、その登録が指示されなければ（ステップＡ９でＮＯ）、次のメール素材を指定するために素材レジスタｊの値に“１”を加算して更新する処理に移る（ステップＡ１８）。
【００４１】
また、メール素材の登録が指示されたときには（ステップＡ９でＹＥＳ）、メール素材記憶部Ｍ３を参照し、素材レジスタｊで指定されるメール素材がメール素材記憶部Ｍ３に登録済みではないかを調べ（ステップＡ１０）、登録済みではなければ（ステップＡ１０でＮＯ）、今回受信した送信元をメール素材の入手先として、素材レジスタｊで指定されるメール素材と共に、メール素材記憶部Ｍ３の「実データ」、「入手先」に新規登録する（ステップＡ１１）。この場合、現在日時をメール素材の登録日としてメール素材記憶部Ｍ３の「備考」に登録する。
【００４２】
そして、メール素材記憶部Ｍ３に今回新規登録したメール素材を使用した電子メールの送信を制限する対象外として設定するか否かを問い合わせるメッセージを表示させ（ステップＡ１２）、それに応答して制限対象外として設定することを指示する操作が行われたときには（ステップＡ１３でＹＥＳ）、そのメール素材に対応するメール素材記憶部Ｍ３内の「送信制限対象」に“対象外”を設定する（ステップＡ１４）。また、今回新規登録したメール素材に対応してその代替え候補となる他のメール素材を設定するか否かを問い合わせるメッセージを表示させ（ステップＡ１５）、それに応答して代替え候補を設定することを指示する操作が行われたときには（ステップＡ１６でＹＥＳ）、そのメール素材に対応するメール素材記憶部Ｍ３内の「代替え候補」にユーザ操作により任意に選択された他のメール素材を設定する（ステップＡ１７）。
【００４３】
そして、次のメール素材を指定するために素材レジスタｊの値に“１”を加算して更新した後（ステップＡ１８）、素材レジスタｊの値は、ｊ＞Ｎか、つまり、素材レジスタｊの値は受信メールに含まれているＭ個のメール素材のうち、その末尾のメール素材を指定する“Ｍ”を超えたかを調べ（ステップＡ１９）、ｊ＞Ｍが成立しなければ（ステップＡ１９でＮＯ）上述のステップＡ８に戻り、以下、素材レジスタｊで指定されるメール素材が登録済みでないことを条件に（ステップＡ１０でＮＯ）、今回受信した送信元を「入手先」として素材レジスタｊで指定されるメール素材をメール素材記憶部Ｍ３に新規登録する処理に移る（ステップＡ１１〜Ａ１７）。
【００４４】
一方、素材レジスタｊで指定されるメール素材が登録済みであれば（ステップＡ１０でＮＯ）、そのメール素材は、メール素材記憶部Ｍ３内にデフォルト分として登録済みではないかを調べ（ステップＡ２０）、デフォルト分として登録済みであれば（ステップＡ２０でＮＯ）、素材レジスタｊの値を更新する処理に移るが（ステップＡ１８）、デフォルト分として登録済みでなければ（ステップＡ２０でＹＥＳ）、ユーザ設定記憶部Ｍ５内の“追加登録設定”を参照し、対応する「設定フラグ」は、追加登録の“設定有り”であるかを調べる（ステップＡ２１）。
【００４５】
いま、“設定無し”であれば（ステップＡ２１でＮＯ）、素材レジスタｊの値を更新する処理に移るが（ステップＡ１８）、“設定有り”であれば（ステップＡ２１でＹＥＳ）、今回受信した送信元と登録済みのメール素材に対応する「入手先」とを比較し、それらは不一致か、登録済みの人と別人かを調べる（ステップＡ２２）。その結果、両者が一致し、同じ人であれば（ステップＡ２２でＮＯ）、重複して登録する必要がないために素材レジスタｊの値を更新する処理に移るが（ステップＡ１８）、両者が不一致、つまり別人であれば（ステップＡ２２でＹＥＳ）、今回受信した送信元を「入手先」として素材レジスタｊで指定されるメール素材をメール素材記憶部Ｍ３に追加登録する（ステップＡ２３）。その後、素材レジスタｊの値を更新する処理に移り（ステップＡ１８）、以下、ｊ＞Ｍが成立するまで（ステップＡ１９でＮＯ）、上述のステップＡ８に戻るが、この状態においてｊ＞Ｍが成立したときには（ステップＡ１９でＹＥＳ）、図６のフローから抜ける。
【００４６】
図７及び図８は、電子メールの新規作成、返信、転送のいずれかが指示された際に実行開始される電子メールの作成・送信処理を示したフローチャートである。
先ず、中央制御部１は、電子メールの新規作成、返信、転送のいずれかが指示されると、その指示に応じて、草稿フォルダを含む対応フォルダから必要なデータを読み出すなど、電子メールの新規作成／返信／転送に対応する処理を実行する（図７のステップＢ１）。そして、電子メールの宛先（送信先）への入力有無を調べ（ステップＢ２）、送信先への入力が無ければ（ステップＢ２でＮＯ）、電子メール本文などを入力したり、編集したりする通常の入力／編集処理を行った後（ステップＢ８）、ユーザ操作により入力／編集の終了が指示されるまで（ステップＢ９でＮＯ）、上述のステップＢ２に戻り、以下、上述の動作を繰り返す。
【００４７】
電子メールの宛先（送信先）が入力された（されている）ときには（ステップＢ２でＹＥＳ）、メール素材の選択指示の有無を調べる（ステップＢ３）。すなわち、電子メールの本文などに使用するメール素材を選択することを指示する指示操作の有無を調べ、その選択指示操作が行われなければ（ステップＢ３でＮＯ）、上述の入力／編集処理（ステップＢ８）に移るが、選択指示操作が行われたときには（ステップＢ３でＹＥＳ）、ユーザ設定記憶部Ｍ５内の“メール素材選択支援画面Ａ表示設定”を参照し、対応する「設定フラグ」は、選択支援画面Ａの“設定有り”であるかを調べる（ステップＢ４）。いま、“設定有り”であれば（ステップＢ４でＹＥＳ）、電子メールで使用するメール素材の選択に対する支援として、選択支援画面Ａを表示させる表示処理に移るが（ステップＢ５）、“設定無し”であれば（ステップＢ４でＮＯ）、選択支援画面Ｂを表示させる表示処理に移る（ステップＢ６）。
【００４８】
図９は、メール素材選択支援画面Ａ（図１２参照）を表示させる表示処理（図７のステップＢ５）を詳述するためのフローチャートである。
先ず、中央制御部１は、メール素材記憶部Ｍ３内の各メール素材をその先頭から順次指定するために素材レジスタｊ（図示省略）に初期値“１”をセットした後（図９のステップＣ１）、メール素材記憶部Ｍ３を参照し、素材レジスタｊの値に対応するメール素材を読み出すと共に（ステップＣ２）、そのメール素材に対応する「入手先」を読み出す（ステップＣ３）。ここで、図２の例において、素材レジスタｊの値が“１”の場合には、入手先として“組み込み”が読み出される。
【００４９】
このようにして読み出したメール素材を一時記憶領域Ｍ２内に一時記憶（配置）すると共に（ステップＣ４）、その配置位置に「入手先」を示す図形を付加する（ステップＣ５）。この場合、「入手先」がデフォルト分であれば、デフォルトの文字列を含む図形、ユーザ追加分であれば、入手先（メール送信元）の名前（例えば、Ａさん）を含む図形を、メール素材の一部に重ね合わせる。なお、メール送信元が複数人の場合には、図形内にはその複数人の名前が含まれる。そして、メール素材記憶部Ｍ３を参照し、素材レジスタｊの値で指定されたメール素材の「送信制限対象」が“対象外”であるかを調べ（ステップＣ６）、“対象外”であれば（ステップＣ６でＹＥＳ）、さらにメール素材に送信制限の対象外を示す図形を付加する（ステップＣ７）。
【００５０】
このようにして１つのメール素材を配置する処理が終わると、次のメール素材を指定するために素材レジスタｊの値に“１”を加算して更新した後（ステップＣ８）、素材レジスタｊの値は、ｊ＞Ｎか、つまり、素材レジスタｊの値はメール素材記憶部Ｍ３内の末尾のメール素材を指定する“Ｎ”を超えたかを調べ（ステップＣ９）、ｊ＞Ｎが成立しなければ（ステップＣ９でＮＯ、）上述のステップＣ２に戻り、ｊ＞Ｎが成立するまで上述の動作を繰り返す。この状態においてｊ＞Ｎが成立したときには（ステップＣ９でＹＥＳ）、一時記憶領域Ｍ２の内容、つまり、上述のようにして配置した各メール素材を選択支援画面Ａとして一覧表示させる（ステップＣ１０）。
【００５１】
図１２は、表示部（タッチ画面）８に表示された選択支援画面Ａを含むメール作成画面を示した図である。
このメール作成画面の上半分には、テキスト入力されたメール本文が表示され、その下半分には、上述のメール素材選択支援画面Ａが表示される。この選択支援画面Ａ内には、送信先として、“＊＊さん宛”が表示されるほか、メール素材記憶部Ｍ３内の先頭から各メール素材が順次表示されると共に、各メール素材の配置位置の一部（右下隅部）に重ね合わせて入手先（例えば、デフォルト、Ａさん…）を示す図形が付加表示される。さらに、「送信制限対象」が“対象外”のメール素材には、対象外を示す図形が付加表示される。
【００５２】
なお、図示の例では、選択支援画面Ａ内には１ページ分（８個）のメール素材（絵文字）が並列表示された状態を示しているが、選択支援画面Ａの下側に配列されているページ送り（前ページ選択用や次ページ選択用の三角マークを含む）を操作することにより、所望するページを選択支援画面Ａに切り替え表示させることができるようになっている。なお、選択支援画面Ａの下側にはタッチキー（後述する変更キー、確定キー、削除キー）などが配設されている。
【００５３】
図１０は、メール素材選択支援画面Ｂ（図１３参照）を表示させる表示処理（図７のステップＢ６）を詳述するためのフローチャートである。
先ず、中央制御部１は、メール素材記憶部Ｍ３内の各メール素材をその先頭から順次指定するために素材レジスタｊにその初期値“１”をセットした後（ステップＤ１）、メール素材記憶部Ｍ３を参照し、素材レジスタｊの値に対応するメール素材を読み出すと共に（ステップＤ２）、そのメール素材に対応する「入手先」を読み出す（ステップＤ３）。そして、読み出したメール素材を一時記憶領域Ｍ２内に一時記憶（配置）する（ステップＤ４）。
【００５４】
次に、メール素材記憶部Ｍ３を参照し、素材レジスタｊの値で指定されたメール素材の「送信制限対象」が、“対象外”ではないかを調べ（ステップＤ５）、“対象外”でなければ（ステップＤ５でＹＥＳ）、送信制限の対象となっているので、素材レジスタｊの値で指定されたメール素材の「入手先」は、デフォルト分であるかを調べる（ステップＤ６）。いま、デフォルト分のメール素材であれば（ステップＤ６でＹＥＳ）、その旨をユーザに報知するために素材レジスタｊの値に対応するメール素材の全体を特定色（例えば、緑色）で着色表示させる処理を行う（ステップＤ７）。
【００５５】
また、指定されたメール素材の「入手先」がデフォルト分でなければ（ステップＤ６でＮＯ）、つまり、ユーザ追加分であるから、今回のメールの送信先と素材レジスタｊの値で指定されたメール素材の「入手先」とを比較し、両者が一致していれば（ステップＤ８でＹＥＳ）、つまり、以前に通信相手から入手した同じメール素材をその相手に送信する場合であるから、その旨をユーザに報知する（喚起させる）ために素材レジスタｊの値に対応するメール素材の全体をグレー表示させる処理を行う（ステップＤ９）。
【００５６】
また、今回のメールの送信先と「入手先」とが一致しなければ（ステップＤ８でＮＯ）、以前に何れの通信相手から入手した同じメール素材を他の相手に送信する場合であるから、素材レジスタｊの値に対応するメール素材を通常どおりに表示（非特定色表示及び非グレー表示）させる処理を行う（ステップＤ１１）。また、素材レジスタｊの値で指定されたメール素材が送信制限の対象外であれば（ステップＤ５でＮＯ）、上述の場合と同様に、メール素材の配置位置に対象外を示す図形を付加した後（ステップＤ１０）、素材レジスタｊの値に対応するメール素材を通常どおりに表示させる処理を行う（ステップＤ１１）。
【００５７】
このようにして１つのメール素材を配置する処理が終わると、素材レジスタｊの値に“１”を加算して更新した後（ステップＤ１２）、素材レジスタｊの値は“Ｎ”を超えたかを調べ（ステップＤ１３）、ｊ＞Ｎが成立しなければ（ステップＤ１３でＮＯ、）上述のステップＤ２に戻り、ｊ＞Ｎが成立するまで上述の動作を繰り返す。この状態においてｊ＞Ｎが成立したときには（ステップＤ１３でＹＥＳ）、一時記憶領域Ｍ２の内容、つまり、上述のようにして配置した各メール素材を選択支援画面Ｂとして一覧表示させる（ステップＤ１４）。
【００５８】
図１３は、表示部（タッチ画面）８に表示された選択支援画面Ｂを含むメール作成画面を示した図で、このメール作成画面の上半分には、テキスト入力されたメール本文が表示され、その下半分にはメール素材選択支援画面Ｂが表示される。この選択支援画面Ｂ内には、送信先として、“＊＊さん宛”が表示されるほか、メール素材記憶部Ｍ３内の先頭から各メール素材が順次表示される。ここで、上述のように、「入手先」がデフォルト分の場合には、そのメール素材の全体が特定色（例えば、緑色、図中、斜線を付して示す）で表示され、また、以前に入手した同じメール素材をその相手に送信する場合には、その旨をユーザに知らせるために（ユーザの注意を喚起させたり、選択をし難くさせたりするために）、そのメール素材の全体がグレー表示される。さらに、「送信制限対象」が“対象外”のメール素材には、対象外を示す図形が付加表示される。その他は、選択支援画面Ｂにおいても、上述した選択支援画面Ａの場合と同様である。
【００５９】
このようにしてメール素材選択支援画面Ａ又はメール素材選択支援画面Ｂを表示させる表示処理が終わると（図７のステップＢ５又はステップＢ６）、この選択支援画面Ａ又は選択支援画面Ｂの中から所望するメール素材を選択するためのユーザ操作が行われたかを調べ（図７のステップＢ７）、メール素材を選択する操作か行われたときには（ステップＢ７でＹＥＳ）、メール素材記憶部Ｍ３内からユーザ選択されたメール素材を読み出し取得する選択処理を実行した後（ステップＢ８）、通常の入力／編集処理に移る（ステップＢ９）。この場合、ユーザ操作により選択されたメール素材をメール作成画面内の指定位置（カーソル位置）に配置表示させる。なお、メール素材の挿入位置（配置位置）は、メール本文に限らず、例えば、タイトル内であってもよい。
【００６０】
以下、入力／編集の終了が指示されるまで（ステップＢ１０でＮＯ）、上述のステップＢ２に戻り、選択支援画面Ａ又は選択支援画面Ｂの中からメール素材が選択される毎に（ステップＢ７でＹＥＳ）、上述の動作（ステップＢ８、Ｂ９）を実行する。いま、入力／編集の終了が指示されたときには（ステップＢ１０でＹＥＳ）、図８のステップＢ１１に移り、上述の場合と同様に、送信先への入力有無を調べる。また、入力／編集が終了した時点でも送信先への入力が無ければ（ステップＢ１１でＮＯ）、ステップＢ１９に移り、作成／編集したメールを草稿フォルダに保存したり、削除したりする処理を実行した後、図７及び図８のフローから抜ける。
【００６１】
また、ここで、送信先が入力された（されている）ときには（ステップＢ１１でＹＥＳ）、メール本文などにメール素材が含まれているかを調べる（ステップＢ１２）。ここで、メール素材が一つも含まれていなければ（ステップＢ１２でＮＯ）、ユーザ操作による送信指示の有無を調べ（ステップＢ１３）、送信指示操作がなければ（ステップＢ１３でＮＯ）、作成／編集したメールを草稿フォルダに保存したり、削除したりする処理を実行した後（ステップＢ１９）、図７及び図８のフローから抜ける。また、送信指示操作が行われたときには（ステップＢ１３でＹＥＳ）、ステップＢ３２に移り、入力／編集したメールをその送信先宛に送信する。そして、送信済みフォルダ（図示省略）に保存する処理を実行した後（ステップＢ３３）、図７及び図８のフローから抜ける。一方、メール素材が一つでも含まれていれば（ステップＢ１２でＹＥＳ）、その旨をユーザに通知（報知）するための通知処理に移る（ステップＢ１４）。
【００６２】
図１１は、通知処理（図８のステップＢ１４）を詳述するためのフローチャートである。
先ず、中央制御部１は、メール本文などに含まれているメール素材の数をカウントすることにより今回のメール作成送信時にユーザ選択されたメール素材の数（Ｍ）を求める（ステップＥ１）。そして、ユーザ設定記憶部Ｍ５の“転送閲覧可能性判別設定”を参照し、その“設定有り”か、つまり、電子メールが転送又は閲覧される可能性を判別すべきことが設定されているかを調べ（ステップＥ２）、“設定無し”であれば（ステップＥ２でＮＯ）、後述するステップＥ５に移る。また、“転送閲覧可能性判別設定”が“設定有り”であれば（ステップＥ２でＹＥＳ）、入力済みの送信先に対応するアドレス帳記憶部Ｍ４内の「属性」を参照することにより（ステップＥ３）、送信先に対してサークル仲間、職場関係などの間柄にある相手（関連相手）を特定しておくほか（ステップＥ４）、メール本文などに含まれているメール素材をその先頭から順次指定するために素材レジスタｊにその初期値“１”をセットしておく（ステップＥ５）。
【００６３】
この状態において、メール本文などに含まれているメール素材の中から素材レジスタｊの値で指定されたメール素材に基づいてメール素材記憶部Ｍ３を参照し、その素材レジスタｊの値で指定されたメール素材の「入手先」と今回のメールの送信先とを比較し、両者が一致しているかを調べる（ステップＥ６）。つまり、素材レジスタｊの値で指定されたメール素材の入手先が今回のメールの送信先と同じであるかを調べ、両者が一致（入手先と送信先とが同じ）であれば（ステップＥ６でＹＥＳ）、その旨をユーザに報知（喚起）させるために入手先情報を通知する（ステップＥ７）。この場合、メール作成画面内に入手先情報を表示させることにより入手先情報を通知する。なお、後述するが、図１４に示すようにメール作成画面内に入手先情報をポップアップ表示させるようにしている。
【００６４】
そして、ユーザ設定記憶部Ｍ５内の“変更／削除推奨設定”を参照し、メール素材の変更／削除を推奨する設定が行われているかを調べ（ステップＥ８）、“設定無し”であれば（ステップＥ８でＮＯ）、素材レジスタｊの値を更新するステップＥ１０に移るが、変更／削除を推奨する設定が有りの場合には（ステップＥ８でＹＥＳ）、メール作成画面内に変更／削除推奨情報を表示させることによりユーザに対する通知（報知）を行う（ステップＥ９）。この場合も、後述するが、図１４に示すようにメール作成画面内に変更／削除推奨情報をポップアップ表示させるようにしている。
【００６５】
図１４は、メール作成画面内において入手先情報をユーザに通知している状態を示した図である。いま、素材レジスタｊの値が“１”であるから、最初のメール素材に対して入手先情報や変更／削除推奨情報をそのメール素材の近傍にポップアップ表示させる。ここで、図示の例においては、最初のメール素材の近傍に、入手先情報として入手先が送信先と同じである旨のメッセージがポップアップ表示され、さらに変更／削除推奨情報として“変更ｏｒ削除”がポップアップ表示された場合である。
【００６６】
そして、素材レジスタｊの値に“１”を加算して更新した後（ステップＥ１０）、素材レジスタｊの値は、ｊ＞Ｍであるか、つまり、素材レジスタｊの値は“Ｍ”を超えたかを調べる（ステップＥ１１）。ここで、ｊ＞Ｍが成立しなければ（ステップＥ１１でＮＯ、）上述のステップＥ６に戻り、素材レジスタｊの値で指定されたメール素材の入手先が今回のメールの送信先と同じであるかを調べるが、いま、入手先と送信先とが異なる場合には（ステップＥ６でＮＯ）、何れの通信相手から入手したメール素材ではあるが、その入手先が今回のメールの送信先とは異なる場合であるから、ユーザ設定記憶部Ｍ５の“転送閲覧可能性判別設定”を参照して、その“設定有り”か、つまり、電子メールが転送又は閲覧される可能性を判別すべきことが設定されているかを調べ（ステップＥ１２）、“設定無し”であれば（ステップＥ１２でＮＯ）、素材レジスタｊの値を更新するステップＥ１０に移る。
【００６７】
また、“転送閲覧可能性判別設定”が“設定有り”であれば（ステップＥ１２でＹＥＳ）、素材レジスタｊの値で指定されたメール素材と、上述のステップＥ４で特定した関連相手（送信先に対してサークル仲間、職場関係などの間柄にある相手）に基づいてメール素材記憶部Ｍ３を参照し、素材レジスタｊの値で指定されたメール素材は、関連相手から入手したのかを調べる（ステップＥ１３）。ここで、入手先が関連相手ではなければ（ステップＥ１３でＮＯ）、素材レジスタｊの値を更新するステップＥ１０に移る。
【００６８】
入手先が関連相手であれば（ステップＥ１３でＹＥＳ）、メール作成画面内に入手先が関連相手であることを示す入手先情報を表示させることによりユーザに対する通知（報知）を行う（ステップＥ１４）。この場合、メール作成画面内に入手先が関連相手であることを示すメッセージをポップアップ表示させるようにしている。さらに、“変更／削除推奨設定”が有れば（ステップＥ８でＹＥＳ）、メール作成画面内に変更／削除推奨情報を表示させることによりユーザに対する通知（報知）を行う（ステップＥ９）。以下、素材レジスタｊの値に“１”を加算して更新する処理に移る（ステップＥ１０）。
【００６９】
このように素材レジスタｊの値を更新しながら上述の動作が繰り返される結果、メール作成画面内には、図１４に示すような表示が行われる。すなわち、図１４の表示例において、図中、２番目、４番目のメール素材は、入手先情報、変更／削除推奨情報、関連相手の入手先情報のいずれも表示されない場合を例示したもので、３番目のメール素材の近傍に関連相手の入手先情報として、“送信先からではありませんが、送信先の職場関係者Ｂさんから入手”がポップアップ表示された状態を示している。また、５番目のメール素材の近傍に関連相手の入手先情報として、“送信先からではありませんが、送信先の友人Ｃさんから入手”がポップアップ表示された状態を示している。
なお、素材レジスタｊの値が“Ｍ”を超えたときには（図１１のステップＥ１１でＹＥＳ）、図１１のフローから抜ける。
【００７０】
このようにして通知処理（図８のステップＢ１４）が終了すると、メール作成画面内の通知内容（送信先の入手先情報、変更／削除推奨情報、関連相手の入手先情報）に応答して、メール素材の編集開始を指示する編集操作が行われたかを調べ（ステップＢ１５）、その編集開始を指示する編集操作が行われなければ（ステップＢ１５でＮＯ）、送信指示の有無を調べるステップＢ１８に移るが、その編集開始を指示する編集操作が行われたときには（ステップＢ１５でＹＥＳ）、メール素材の編集処理に移る（ステップＢ１６）。この場合、ユーザにあっては、メール作成画面内の通知内容を確認し、通知されたメール素材を削除したり、他のメール素材に代替えしたりする。そして、編集終了操作が行われたかを調べ（ステップＢ１７）、編集終了操作が行われるまで（ステップＢ１７でＮＯ）、編集処理（ステップＡ１６）に戻るが、編集終了操作が行われたときには（ステップＢ１７でＹＥＳ）、送信指示の有無を調べるステップＢ１８に移る。
【００７１】
ここで、送信指示がなければ（ステップＢ１８でＮＯ）、ステップＢ１９に移り、作成／編集したメールを草稿フォルダに保存したり、削除したりする処理を実行した後、図７及び図８のフローから抜けるが、送信指示操作が行われたときには（ステップＢ１８でＹＥＳ）、メール本文などに含まれているメール素材をその先頭から順次指定するために素材レジスタｊにその初期値“１”をセットしておく（ステップＢ２０）。この状態において、素材レジスタｊの値で指定されたメール素材に基づいてメール素材記憶部Ｍ３の「送信制限対象」を参照し、“対象”であるかを調べる（ステップＢ２１）。
【００７２】
ここで、送信制限の“対象”でなければ（ステップＢ２１でＮＯ）、素材レジスタｊの値を更新するステップＢ３０に移るが、“対象”であれば（ステップＢ２１でＹＥＳ）、素材レジスタｊの値で指定されたメール素材に基づいてメール素材記憶部Ｍ３を参照し、その素材レジスタｊの値で指定されたメール素材の「入手先」と今回のメールの送信先とを比較し、両者が一致しているか、つまり、素材レジスタｊの値で指定されたメール素材の入手先が今回のメールの送信先と同じであるかを調べる。
【００７３】
いま、両者が一致（入手先と送信先とが同じ）であれば（ステップＢ２２でＹＥＳ）、ユーザ設定記憶部Ｍ５の“送信中止設定”を参照し、その“設定無し”か、つまり、メール素材の使用した電子メールの送信を制限する一態様として、その送信自身を中止すべきことが設定されているかを調べ（ステップＢ２３）、“設定有り”であれば（ステップＢ２３でＮＯ）、他のメール素材に関わらず、この時点で電子メールの送信を中止することを表示部８に通知（表示）させた後（ステップＢ２４）、作成／編集したメールを草稿フォルダに保存したり、削除したりする処理に移る（ステップＢ１９）。
【００７４】
また、“送信中止設定”が“設定無し”であれば（ステップＢ２３でＹＥＳ）、ユーザ設定記憶部Ｍ５の“制限対象変更設定”を参照し、その“設定有り”か、つまり、メール素材の使用した電子メールの送信を制限する一態様として、そのメール素材の代替えとして他のメール素材を使用すべきことが設定されているかを調べ（ステップＢ２５）、“設定有り”であれば（ステップＢ２５でＹＥＳ）、メール素材記憶部Ｍ３を参照し、代替え候補有りか、つまり、素材レジスタｊの値で指定されたメール素材には「代替え候補」が対応付けて記憶されているかを調べる（ステップＢ２６）。
【００７５】
ここで、代替え候補が有れば（ステップＢ２６でＹＥＳ）、メール素材記憶部Ｍ３から代替え候補のメール素材を読み出し、元のメール素材に代えてメール本文などに挿入する代替え処理を行う（ステップＢ２７）。また、“制限対象変更設定”が無しの場合（ステップＢ２５でＮＯ）又は代替え候補無しの場合には（ステップＢ２６でＮＯ）、ユーザ設定記憶部Ｍ５の“制限対象削除設定”を参照し、その“設定有り”か、つまり、メール素材の使用した電子メールの送信を制限する一態様として、そのメール素材を削除すべきことが設定されているかを調べる（ステップＢ２８）。ここで、“設定無し”であれば（ステップＢ２８でＮＯ）、後述するステップＢ３０に移るが、“設定有り”であれば（ステップＢ２８でＹＥＳ）、素材レジスタｊの値で指定されるメール素材をメール本文などから削除する処理を行う（ステップＢ１２９）。
【００７６】
このような代替え処理や削除処理の実行後は、素材レジスタｊの値に“１”を加算して更新した後（ステップＢ３０）、素材レジスタｊの値は、ｊ＞Ｍかを調べ（ステップＢ３１）、ｊ＞Ｍでなければ（ステップＢ３１でＮＯ、）上述のステップＢ２１に戻り、以下、上述の動作を繰り返す。ここで、ｊ＞Ｍが成立すれば（ステップＢ３１でＹＥＳ）、入力／編集したメールをその送信先宛に送信して（ステップＢ３２）、送信済みフォルダ（図示省略）に保存する処理を実行した後（ステップＢ３３）、図７及び図８のフローから抜ける。
【００７７】
以上のように、本実施形態において中央制御部１は、電子メールを送信する場合に使用されるメール素材を誰から入手したかを示す入手先とメール素材を対応付けてメール素材記憶部Ｍ３に記憶されている状態において、このメール素材記憶部Ｍ３に記憶されている入手先に基づいて、その入手先に対応付けられているメール素材を用いた電子メールの送信を制限するようにしたので、メール素材の入手先に対してそのメール素材を使用した電子メールを送信する場合に、メール素材の入手先に対してそのメール素材を使用した電子メールの送信を適切に制限することができ、通信相手にとって効果的なメール素材（例えば、新鮮でインパクトの強いメール素材）を送信することが可能となる。
【００７８】
メール素材記憶部Ｍ３に記憶されている入手先が作成中である電子メールの送信先に含まれているか否かに基づいて、その入手先に対応付けられているメール素材を用いた電子メールの送信を制限するようにしたので、どのようなメール素材を誰から入手したかを適切に管理することができ、そのメール素材を使用した電子メールの送信を適切に制限することができる。
【００７９】
メール素材記憶部Ｍ３に記憶されている入手先に基づいて、その入手先に対応付けられているメール素材を用いた電子メールの送信を中止することによりその送信を制限するようにしたので、通信相手から入手した同じメール素材をその相手に送信してしまうことを確実に防ぐことができる。
【００８０】
メール素材記憶部Ｍ３に記憶されている入手先に基づいて、その入手先に対応付けられているメール素材を他のメール素材に代替えすることによりメール素材の使用した電子メールの送信を制限するようにしたので、通信相手から入手した同じメール素材をその相手に送信してしまうことを確実に防ぐことができる。
【００８１】
メール素材記憶部Ｍ３に記憶されている入手先に基づいて、その入手先に対応付けられているメール素材を削除することによりメール素材の使用した電子メールの送信を制限するようにしたので、通信相手から入手した同じメール素材をその相手に送信してしまうことを確実に防ぐことができる。
【００８２】
電子メールの作成時にメール素材をユーザ操作により選択させる場合に、メール素材記憶部Ｍ３に記憶されている入手先に基づいて、メール素材の選択を支援することによりメール素材を使用した電子メールの送信を制限するようにしたので、電子メールの作成時のメール素材選択時において通信相手から入手した同じメール素材をその相手に送信してしまうことを確実に防ぐことができる。
【００８３】
メール素材記憶部Ｍ３に記憶されている入手先に基づいて、メール素材の選択させる際の選択表示画面を変更することによりメール素材を用いた電子メールの送信を制限するようにしたので、例えば、図１１で示したメール素材選択支援画面Ａ内にメール素材毎にその入手先を表示させたり、図１２に示すようにメール素材の入手先が今回のメールの送信先と同一の場合に、ユーザの注意を喚起するためにそのメール素材に対してグレー表示させたりすることができる。
【００８４】
メール素材を使用した電子メールの作成後に、この電子メールの送信先が決定された段階で、メール素材に関係付けられた入手先を通知することによりメール素材を使用した電子メールの送信を制限するようにしたので、メール素材の入手先が今回のメールの送信先と同一であることをユーザに知らせることができる。
【００８５】
メール素材を削除することを促す通知、あるいは他のメール素材に代替えすべきことを促す通知を行うことにより、メール素材の入手先が今回のメールの送信先と同一である場合に、そのメール素材を使用した電子メールの送信を制限するようにしたので、ユーザに対して具体的な対処方法を知らせることができる。
【００８６】
電子メールを送信した場合に、その送信先に対応してアドレス帳記憶部Ｍ４に記憶されている属性に基づいて、その電子メールの転送又は閲覧の可能性を判別するようにしたので、電子メールの転送又は閲覧の可能性をも考慮に入れて、その可能性のある関連相手（例えば、送信先に対してサークル仲間、職場関係などの間柄にある相手）がメール素材の入手先である場合には、その関連相手に送信してしまうことを防ぐことができる。
【００８７】
メール素材を入手した際に、このメール素材を次回以降使えるようにメール素材記憶部Ｍ３に登録するようにしたので、電子メールを受信する毎に、メール素材の登録数を増やすことができる。
【００８８】
制限対象外として指定されたメール素材にいては、このメール素材を使用した電子メールの送信を許可するようにしたので、メール素材として、制限を受けないものを設定することができるので、自由なメールを作成することもできる。
【００８９】
メール素材記憶部Ｍ３、アドレス帳記憶部Ｍ４、ユーザ設定記憶部Ｍ５の内容をユーザ操作により任意に設定可能としたので、メール素材を使用した電子メールの送信を制限する仕方をユーザ操作により任意に設定することができ、自由度を増すことができる。
【００９０】
なお、上述した実施形態においては、送信先としては、本来の送信先“ＴＯ”に限らず、同報先“ＣＣ”であってもよい。この場合、図１１のステップＥ７において入手先情報を通知する際には、本来の送信先“ＴＯ”に対応する入手先情報と、その同報先“ＣＣ”に対応する入手先情報を通知するようにすればよい。このように入手先情報の送信先が本来の送信先かそれ以外の同報先かを区別して、メール素材を使用した電子メールの送信を制限するようにすれば、メール素材を使用した電子メールの送信を実情に即して効果的に制限することができる。
【００９１】
上述した実施形態においては、メール素材として絵文字の場合を例示したが、少なくとも絵文字、フォーマット、静止画、動画、音声ファイルのいずれかであってもよい。例えば、メール素材としては、例えば、ヘッダ部、本体部、添付部の配列構成などが異なるメールフォーマットであってもよく、メール本文に挿入した静止画、動画、音声ファイルであってもよく、さらにそれらの組み合わせであってもよい。これによって新鮮でインパクトの強いメール素材を相手に提供することができる。また、メール素材記憶部Ｍ３内のメール素材は、例えば、無線通信網、インターネットを介してダウンロード受信したり、着脱自在な可搬型メモリ（記録メディア）からコピー取得したりして記憶（登録）したものであってもよい。
【００９２】
上述した実施形態においては、メール素材の入手先が今回のメールの送信先と同一である場合に、このメール素材を削除したり、他のメール素材に代替えしたりするようにしたが、このメール素材に対して加工処理を施すことによりメール素材の使用を制限するようにしてもよい。例えば、メール素材の全体又は一部の色を変えたり、季節感を持った図形を付加したり、正月、クリスマス期間などに合った絵文字に加工するなど、メール素材の全体又は一部を加工するようにすれば、同じメール素材を同じ相手に何回も送信してしまうことを確実に防ぐことができるほか、さらに効果的なものとなる。
【００９３】
図１２に示した選択支援画面Ａにおいては、各メール素材の配置位置の一部（右下隅部）に重ね合わせて入手先を示す図形を付加表示するようにしたが、この入手先を示す図形は任意であり、入手先に応じてその図形を着色したり、点滅したりするようにしてもよい。また、対象外のメール素材も含めて表示するようにしたが、欄外など別個に表示するようにしてもよい。
【００９４】
図１３に示した選択支援画面Ｂにおいては、入手先が送信先であるかに応じてメール素材の全体をグレー表示するようにしたが、入手先が送信先の場合にそのメール素材を選択不可能な状態としてもよい。この場合、図１０のステップＤ９ではそのメール素材がユーザ操作により選択されることを禁止する選択禁止処理を行うようにすればよい。また、入手先に応じて段階的にグレー表示の濃度を変えるようにしてもよい。例えば、入手先をグループ化し、どのグループに属するかをグレー表示の濃度で区別するようにしてもよい。また、グレー濃度に限らず、入手先のグループに応じて表示色を変えるようにしてもよい。また、図１２で示した選択支援画面Ａの場合と同様に、対象外のメール素材も含めて表示するようにしたが、対象外のメール素材を欄外など別個に表示するようにしてもよい。
【００９５】
上述した実施形態においては、“メール素材選択支援画面Ａ表示設定”の“設定有り”であれば（図７のステップＢ４でＹＥＳ）、選択支援画面Ａ（ステップＢ５）、“設定無し”であれば（ステップＢ４でＮＯ）、選択支援画面Ｂを表示させる（ステップＢ６）ようにしたが、“メール素材選択支援画面Ａ表示設定”を、メール素材選択支援画面を表示させるか否かを示す“メール素材選択支援表示設定”とすることにより、“設定有り”であれば、選択支援画面Ａ又は選択支援画面Ｂを表示させ、“設定無し”であれば、選択支援画面Ａ及びＢのいずれも表示させないようにしてもよい。
【００９６】
また、上述した実施形態においては、電子メールの作成時にメール素材をユーザ操作により選択させる場合に、入手先に基づいて、メール素材の選択を支援する選択支援画面Ａ又は選択支援画面Ｂを表示するようにしたが、メール素材の入手先に応じて他のメール素材に代替えするようにしてもよい。また、メール素材の入手先に応じてそのメール素材を使用した電子メールの送信が制限されている旨を通知（報知）するようにしてもよい。
【００９７】
上述した実施形態においては、図８のフローチャートに示すように、メール素材の入手先に応じてそのメール素材を使用した電子メールの送信を中止したり、他のメール素材に代替えしたり、そのメール素材を削除する処理を、送信指示を受けた後に行うようにしたが、送信指示前の通知処理時に行うようにしてもよい。この場合、通知処理を行った後、ユーザ操作により中止指示、代替え指示、削除指示を受けたことを条件に、中止処理、代替え処理、削除処理を行うようにしてもよい。
【００９８】
上述した実施形態において通知処理では、メール作成画面内に入手先情報、変更／削除推奨情報をポップアップ表示させるようにしたが、ポップアップ表示に限らず、その表示の仕方は任意であり、また、表示による通知のほかに、音声メッセージによる通知、メッセージを他の携帯電話機などに送信することによる通知であってもよい。つまり、通知の仕方は任意である。
【００９９】
上述した実施形態においては、メール素材の一覧画面の中からユーザ操作により任意のメール素材を選択することによりメール本文などに付加するようにしたが、文章内容や天気などに応じて自動的にメール素材を選択してメール本文などに付加する場合でも同様に適用可能である。
【０１００】
また、上述した実施形態においては、通信端末装置として携帯電話機に適用した場合を示したが、携帯電話機に限らず、通信機能付きパーソナルコンピュータ・ＰＤＡ・デジタルカメラ・音楽プレイヤーなどであってもよい。
【０１０１】
また、上述した実施形態において示した“装置”や“機”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【符号の説明】
【０１０２】
１  中央制御部
３  記憶部
４  無線通信部
８  表示部
９  操作部
Ｍ１  ＲＯＭ領域（フラッシュ領域）
Ｍ２  一時記憶領域（バッファ）
Ｍ３  メール素材記憶部
Ｍ４  アドレス帳記憶部
Ｍ５  ユーザ設定記憶部
【図１】
2012003330.tif 000003
【図２】
2012003330.tif 000004
【図３】
2012003330.tif 000005
【図４】
2012003330.tif 000006
【図５】
2012003330.tif 000007
【図６】
2012003330.tif 000008
【図７】
2012003330.tif 000009
【図８】
2012003330.tif 000010
【図９】
2012003330.tif 000011
【図１０】
2012003330.tif 000012
【図１１】
2012003330.tif 000013
【図１２】
2012003330.tif 000014
【図１３】
2012003330.tif 000015
【図１４】
2012003330.tif 000016